(57)【要約】      （修正有）【課題】使用時にある領域に振りかけられる分散可能な物質を便利に分散又は収納することができる袋構造を提供する。【解決手段】袋構造は、第１および第２のパネル部分と、１つまたは複数のサイドガセットパネル部分とを含む。内部ガセット部材が、袋構造の内側で第１および第２のパネル部分間に配置され得る。テープが、袋構造の内側に配され、他の部分の端縁の一部を固定する。さらに、開封および再封可能な閉鎖構成と不正開封防止構成とを含む。【選択図】図１
0003160466.tif 000002
【実用新案登録請求の範囲】
【請求項１】
袋構造であって、
（ａ）第１および第２のパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分と、
（ｂ）第１のサイドガセットパネル部分であって、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１のサイドガセットパネル部分とを含み、
（ｃ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定されるようにして、固定されて袋構造内部を規定し、
（ｄ）内部ガセット部材であって、
（ｉ）前記袋構造内部の内側に配置され、
（ｉｉ）少なくとも１つの散布用開口を有する、内部ガセット部材と、
（ｅ）前記第１および第２のパネル部分の第２の端縁において前記第１および第２のパネル部分間に延びた横方向の開封および再封可能な閉鎖構成とを含む袋構造。
【請求項２】
前記第１のサイドガセットパネル部分が、前記第１のサイドガセットパネル部分の第１の端縁から前記第１のサイドガセットパネル部分の第２の端縁までを測定した第１の長さを含み、
前記第１のパネル部分が、前記第１のパネル部分の第１の端縁から前記第１のパネル部分の第２の端縁までを測定した第２の長さを含み、
前記第１の長さは前記第２の長さよりも短く、
前記第１のパネル部分の内面に横方向に配され、前記第１のサイドガセットパネル部分の第２の端縁の少なくとも一部を前記第２のパネル部分の内面の少なくとも一部に固定するテープをさらに含む請求項１に記載の袋構造。
【請求項３】
前記内部ガセット部材が、前記第１のサイドガセットパネル部分の内面の一部に固定され、前記内部ガセット部材が固定される前記内面の一部と前記第１のパネル部分の第２の端縁との間に配置された折り目をさらに含む請求項１に記載の袋構造。
【請求項４】
不正開封防止構成をさらに含み、前記不正開封防止構成が、少なくとも部分的に前記第１および第２のパネル部分の各々に封止された引き裂き部材を含み、
前記不正開封防止構成が、前記横方向の開封および再封可能な閉鎖構成と前記折り目との間に配置された請求項３に記載の袋構造。
【請求項５】
（ａ）第２のサイドガセットパネル部分であって、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第２のサイドガセットパネル部分をさらに含み、
（ｂ）前記パネル部分と前記サイドガセットパネル部分とが、
（ｉ）前記第２のパネル部分の第１の側縁の少なくとも一部が、前記第２のサイドガセットパネル部分の第２の側縁の少なくとも一部に固定され、
（ｉｉ）前記第２のサイドガセットパネル部分の第１の側縁の少なくとも一部が、前記第１のパネル部分の第２の側縁の少なくとも一部に固定されるようにして、さらに固定された請求項１に記載の袋構造。
【請求項６】
前記第１のサイドガセットパネル部分が、前記第１のサイドガセットパネル部分の第１の端縁から前記第１のサイドガセットパネル部分の第２の端縁までを測定した第１の長さを含み、
前記第１のパネル部分が、前記第１のパネル部分の第１の端縁から前記第１のパネル部分の第２の端縁までを測定した第２の長さを含み、前記第１の長さは前記第２の長さよりも短く、
前記第２のサイドガセットパネル部分が、前記第２のサイドガセットパネル部分の第１の端縁から前記第２のサイドガセットパネル部分の第２の端縁までを測定した第３の長さを含み、前記第３の長さは前記第２の長さよりも短く、
前記第１のパネル部分の内面に横方向に配され、前記第１のサイドガセットパネル部分の第２の端縁の少なくとも一部を前記第２のパネル部分の内面の少なくとも一部に固定するテープをさらに含み、前記テープが、前記第２のサイドガセットパネル部分の第２の端縁の少なくとも一部を前記第２のパネル部分の内面の少なくとも一部に固定する請求項５に記載の袋構造。
【請求項７】
前記内部ガセット部材が、前記第１のサイドガセットパネル部分の内面の一部に固定され、前記内部ガセット部材が固定される前記内面の一部と前記第１のパネル部分の第１の端縁との間に配置された折り目をさらに含む請求項６に記載の袋構造。
【請求項８】
不正開封防止構成をさらに含み、前記不正開封防止構成が、少なくとも部分的に前記第１および第２のパネル部分の各々に封止された引き裂き部材を含み、
前記不正開封防止構成が、前記横方向の開封および再封可能な閉鎖構成と前記テープとの間に配置された請求項７に記載の袋構造。
【請求項９】
前記内部ガセット部材が、前記第１および第２のサイドガセットパネル部分の一部に固定され、前記内部ガセット部材が固定された前記第１および第２のサイドガセットパネル部分の一部と前記第１のパネル部分の第１の端縁との間に配置された折り目をさらに含む請求項６に記載の袋構造。
【請求項１０】
前記第１および第２のサイドガセットパネル部分が、各々、少なくとも２つの異なる材料の層で形成された請求項９に記載の袋構造。
【請求項１１】
前記材料が、接着材、ポリエステル、ナイロン、直鎖状低密度ポリエチレン、アルミニウム、ポリプロピレンおよび金属化ポリエステルからなる群から選択される請求項１０に記載の袋構造。
【請求項１２】
（ａ）不正開封防止構成であって、
（ｉ）少なくとも部分的に前記第１および第２のパネル部分の各々に封止された引き裂き部材を含み、
（ｉｉ）前記横方向の開封および再封可能な閉鎖構成と前記内部ガセット部材との間に配置された、不正開封防止構成をさらに含む請求項１１に記載の袋構造。
【請求項１３】
（ａ）前記内部ガセット部材が、可撓性材料で構成され、
（ｂ）前記第１および第２のパネル部分の少なくとも一部を相互に封止する向きにされた横方向封止部であって、
（ｉ）前記第１および第２のパネル部分の第１の端縁と前記内部ガセット部材との間の位置において前記袋構造を横方向に横断して延びるように配置された、横方向封止部と、
（ｃ）不正開封防止構成であって、
（ｉ）少なくとも部分的に前記袋構造内部の内側に配置され、
（ｉｉ）少なくとも部分的に前記第１および第２のパネル部分の各々に封止された引き裂き部材を含み、
（ｉｉｉ）前記横方向の開封および再封可能な閉鎖構成と前記内部ガセット部材との間に配置された、不正開封防止構成とを含む請求項１に記載の袋構造。
【請求項１４】
袋構造であって、
（ａ）第１および第２のパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分と、
（ｂ）第１のサイドガセットパネル部分であって、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１のサイドガセットパネル部分とを含み、
（ｃ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定されるようにして、固定されて袋構造内部を規定し、
（ｄ）内部ガセット部材であって
（ｉ）前記袋構造内部の内側に配置され、
（ｉｉ）少なくとも１つの散布用開口を有する、内部ガセット部材と、
（ｅ）底ガセットパネル部分であって、
（ｉ）折り目と、
（ｉｉ）少なくとも部分的に前記折り目に沿って位置している引き裂き可能な部分を含む不正開封防止構成と、
（ｉｉｉ）横方向の開封および再封可能な閉鎖構成とを含む、底ガセットパネル部分とを含み、
前記底ガセットパネル部分が少なくとも部分的に前記第１および第２のサイドガセットパネル部分に封止された袋構造。
【請求項１５】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネルの第２の側縁の少なくとも一部に固定され、
（ｉｉ）前記第１のサイドガセットパネル部分の第１の側縁の少なくとも一部が、前記第２のパネルの第２の側縁の少なくとも一部に固定され、
（ｉｉｉ）前記第２のパネル部分の第１の側縁の少なくとも一部が、前記第２のサイドガセットパネルの第２の側縁の少なくとも一部に固定され、
（ｉｖ）前記第２のサイドガセットパネル部分の第１の側縁の少なくとも一部が、前記第１のパネルの第２の側縁の少なくとも一部に固定されるようにして、固定されて袋構造内部を規定し、
（ｃ）前記第１および第２のサイドガセットパネル部分は、少なくとも部分的に前記第１および第２のパネル部分の第１および第２の側縁間に延びる折り目を有し、
（ｄ）内部ガセット部材であって、
（ｉ）少なくとも部分的に前記袋構造内部の内側に配置され、
（ｉｉ）少なくとも１つの散布用開口を有し、
（ｉｉｉ）可撓性材料で構成された、内部ガセット部材と、
（ｅ）前記第１および第２のパネル部分の第２の縁と前記内部ガセット部材との間の位置において前記袋構造を横方向に横断して封止するための手段とを含む袋構造。
【請求項１６】
（ａ）底ガセットパネル部分であって、
（ｉ）折り目と、
（ｉｉ）少なくとも部分的に前記折り目に沿って位置している引き裂き可能な部分を含む不正開封防止構成と、
（ｉｉｉ）横方向の開封および再封可能な閉鎖構成を含む封止手段とを含む、底ガセットパネル部分をさらに含み、
前記底ガセットパネル部分が、前記第１および第２のパネル部分の第２の端縁において少なくとも部分的に前記第１および第２のパネル部分に封止された請求項１５に記載の袋構造。
【請求項１７】
（ａ）不正開封防止構成であって、
（ｉ）前記袋構造内部の内側に配置され、
（ｉｉ）前記第１および第２のパネル部分の各々に封止された引き裂き部材を含み、
（ｉｉｉ）前記第１のパネル部分の第２の端縁と前記内部ガセット部材との間に配置された、不正開封防止構成をさらに含む請求項１５に記載の袋構造。
【請求項１８】
前記サイドガセットパネル部分が少なくとも２つの異なるポリマーの層で形成された請求項１５に記載の袋構造。
【請求項１９】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定され、
（ｉｉｉ）前記第２のパネル部分の第１の側縁の少なくとも一部が、前記第２のサイドガセットパネル部分の第２の側縁の少なくとも一部に固定され、
（ｉｖ）前記第２のサイドガセットパネル部分の第１の側縁の少なくとも一部が、前記第１のパネル部分の第２の側縁の少なくとも一部に固定されるようにして、固定されて袋構造内部を規定し、
（ｃ）前記第１および第２のサイドガセットパネル部分は、少なくとも部分的に前記第１および第２のパネル部分の第１および第２の側縁間に延びる折り目を有し、
（ｄ）内部ガセット部材であって、
（ｉ）前記袋構造内部の内側で前記第１および第２のパネル部分間に配置され、
（ｉｉ）少なくとも１つの散布用開口を有し、
（ｉｉｉ）少なくとも一部分は可撓性材料で構成された、内部ガセット部材と、
（ｅ）前記第１および第２のパネル部分の少なくとも一部を相互に封止する向きにされた横方向封止部であって、
（ｉ）前記第１および第２のパネル部分の第１の端縁と前記内部ガセット部材との間の位置において前記袋構造を横方向に横断して延びるように配置された、横方向封止部と、
（ｆ）前記第１および第２のパネル部分の第２の端縁において前記第１および第２のパネル部分間に延びる横方向の開封および再封可能な閉鎖構成と、
（ｇ）不正開封防止構成であって、
（ｉ）少なくとも部分的に前記袋構造内部の内側に配置され、
（ｉｉ）前記第１および第２のパネル部分の各々に封止された引き裂き部材を含み、
（ｉｉｉ）前記横方向の開封および再封可能な閉鎖構成と前記内部ガセット部材との間に配置された、不正開封防止構成とを含む袋構造。
【請求項２０】
前記サイドガセットパネル部分が少なくとも２つの異なるポリマーの層で形成された請求項１９に記載の袋構造。
【請求項２１】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネルの第２の側縁の少なくとも一部に固定され、
（ｉｉ）前記第１のサイドガセットパネル部分の第１の側縁の少なくとも一部が、前記第２のパネルの第２の側縁の少なくとも一部に固定され、
（ｉｉｉ）前記第２のパネル部分の第１の側縁の少なくとも一部が、前記第２のサイドガセットパネルの第２の側縁の少なくとも一部に固定され、
（ｉｖ）前記第２のサイドガセットパネル部分の第１の側縁の少なくとも一部が、前記第１のパネルの第２の側縁の少なくとも一部に固定されるようにして、固定されて袋構造内部を規定し、
（ｃ）前記第１のパネル部分の内面に横方向に配され、前記第１のサイドガセットパネル部分の第２の端縁の少なくとも一部と前記第２のサイドガセットパネル部分の第２の縁の少なくとも一部とを前記第２のパネル部分の内面の少なくとも一部に固定するテープと、
（ｄ）前記第１および第２のパネル部分の第２の端縁において前記第１および第２のパネル部分間に延びる横方向の開封および再封可能な閉鎖構成とを含む袋構造。
【請求項２２】
（ａ）不正開封防止構成であって、
（ｉ）少なくとも部分的に前記第１および第２のパネル部分の各々に封止された引き裂き部材を含み、
（ｉｉ）前記横方向の開封および再封可能な閉鎖構成と前記テープとの間に配置された、不正開封防止構成をさらに含む請求項２１に記載の袋構造。
【請求項２３】
前記第１および第２のサイドガセットパネル部分が、各々、少なくとも２つの異なる材料の層で形成された請求項２２に記載の袋構造。
【請求項２４】
前記材料が、接着材、ポリエステル、ナイロン、直鎖状低密度ポリエチレン、アルミニウム、ポリプロピレンおよび金属化ポリエステルからなる群から選択される請求項２３に記載の袋構造。
【請求項２５】
前記袋構造内部の内側で前記第１および第２のパネル部分間に配置された内部ガセット部材をさらに含む請求項２１に記載の袋構造。
【考案の詳細な説明】
【技術分野】
【０００１】
本出願は、２００７年３月３０日に出願された米国特許出願第１１／７３１，８０５号の一部継続出願であり、当該出願の全体は、あらゆる目的において、参照により本明細書に組み込まれる。
【０００２】
本発明は、袋またはパウチ構造に関する。本明細書において開示する実施形態は、サイドガセットと、開口が設けられた内部ガセットとを有する袋構造に関する。袋構造は、分散可能な物質が充填され得、その構成により、分散可能な物質を散布する便利なやり方が可能になる。本開示は、分散可能な物質を収納する便利なやり方を可能にする袋構造にも関する。
【背景技術】
【０００３】
多種多様な物品が、使用時にある領域に亘って分散つまり振りかけられる物質を含んでいる。これらの物品の多くは、乾燥粉末または微粒子状物質を含んでいる。本明細書において「分散可能な物質」という用語は、少なくとも、ペレット、粒状物、粉末、ゲル、液体およびそれらの任意の組み合わせを含むものとする。これらの例としては、限定されるものではないが、着氷除去塩、種子、殺虫剤およびチョークがある。
【考案の概要】
【考案が解決しようとする課題】
【０００４】
微粒子状物質を振りかけるためのいくつかの改良された構成が、例えば米国特許第５，８８２，１２０号および第５，７０９，４７９号に開示されている。従来技術の袋構造は、底部が、従来技術の袋構造を直立可能にする構成を有していないため、収納および配置を行いにくい。製品を収納するために、また、販売場所において直立する収納袋が望ましい。その理由は、このような袋構造により、卸売業者および小売商にとって袋構造の収納および／または積み重ね方法がより容易になり得るからである。直立可能な袋構造であることは、配置がより簡単になり得るため、小売段階においても有利である。消費者が購入を熟慮するために袋構造を見やすいように、販売場所において袋構造が直立することがやはり望ましい。そのうえ、従来技術の袋構造は、側部および底部に沿った膨張性が不足しているため、従来技術の袋構造を機械で充填するのは困難なことがある。このことは、従来技術の袋構造の充填を難しくしかつ／または従来技術の袋構造に充填される物質の体積および量を少なくする原因となり得る。さらに、従来技術の袋構造の突条と溝とによる閉鎖システムは、微粒子状物質が閉鎖システムの溝部に入り込んで取れなくなることがあるため、物質を散布するために従来技術の袋構造を使用した後は操作しにくいことがある。望ましくないことに、これにより適切な封止の形成が妨げられ得、そのことが収納中に微粒子状物質の漏れおよび／または微粒子状物質の汚染を招く可能性がある。
【０００５】
したがって、分散可能な物質を散布するための改良された構成が求められている。
【課題を解決するための手段】
【０００６】
本明細書には袋構造の構成が開示されている。袋構造の一実施形態は、第１および第２の互いに対向するパネルまたはパネル部分を含む。一実施形態において、パネル部分の各々は、第１の端縁と、第２の端縁と、第１の側縁および第２の側縁とを有する。第１の端縁は、第２の端縁と対向する。第１の側縁は、第２の側縁と対向する。第１の側縁は、第１の端縁から第２の端縁まで延びている。第２の側縁は第１の端縁から第２の端縁まで延びている。したがって、第１および第２の端縁と第１および第２の側縁とは、当該実施形態の１つのパネル部分を概ね規定する平面を形成する。
【０００７】
当該実施形態は、少なくとも１つのサイドガセットパネル部分も含む。サイドガセットパネル部分は、第１の端縁と、第２の端縁と、第１の側縁と、第２の側縁とを有する。第１の端縁は、第２の端縁と対向する。第１の側縁は、第２の側縁と対向する。第１の側縁は、第１の端縁から第２の端縁まで延びている。第２の側縁は、第１の端縁から第２の端縁まで延びている。
【０００８】
第１のパネル部分の第１の側縁の少なくとも一部が、サイドガセットパネル部分の第２の側縁の少なくとも一部に固定される。サイドガセットパネル部分の第１の側縁の少なくとも一部が、第２のパネル部分の第２の側縁の少なくとも一部に固定される。この構成が袋構造内部を概ね規定する。
【０００９】
一実施形態は、第１のパネル部分の内面に横方向に配され、第１のサイドガセットパネル部分の第２の端縁の少なくとも一部を第２のパネル部分の内面の少なくとも一部に固定するテープを含み得る。他の実施形態において、テープは、第２のサイドガセットパネル部分の第２の端縁も第２のパネル部分の内面の少なくとも一部に固定し得る。
【００１０】
一実施形態は、袋構造内部の内側に配置された内部ガセット部材を含む。内部ガセット部材は、１つまたは複数の孔、スリットまたはこれら等の開口の任意の組み合わせであり得る少なくとも１つの散布用開口を有する。
【００１１】
別の実施形態においては、サイドガセットパネル部分が、少なくとも部分的に第１および第２のパネル部分の第１および第２の側縁間に延びる折り目を有することが好ましい。
【００１２】
別の実施形態は、横方向封止部を含む。
【００１３】
さらなる実施形態は、不正開封防止構成を含む。不正開封防止構成は、第１および第２のパネル部分の各々に封止された引き裂き部材を含み得る。不正開封防止構成は、袋構造内部の内側に配置され得る。好ましくは、不正開封防止構成は、第１および第２のパネル部分間かつ第１のパネル部分の第２の端縁と内部ガセット部材との間に配置される。
【図面の簡単な説明】
【００１４】
【図１】本明細書に開示された一実施形態の袋構造の斜視図
【図２Ａ】図１に示された袋構造の正面側パネル部分が示されていない正面平面図
【図２Ｂ】図２Ａに示したような袋構造の斜視図
【図３】図１の概ね３−３線における斜視断面図
【図４Ａ】横方向の開封および再封可能な閉鎖機構が開かれ、不正開封防止封止構成が完全な状態である、図３に示した袋構造の斜視断面図の一部
【図４Ｂ】不正開封防止封止構成が開かれた、図４Ａに示したような袋構造の斜視断面図の一部
【図４Ｃ】開封および再封可能な閉鎖機構の一実施形態と不正開封防止封止構成の一実施形態とを示す袋構造の断面側面図の一部
【図４Ｄ】開封および再封可能な閉鎖機構の一実施形態を不正開封防止封止構成の一実施形態と共に示す別の袋構造の断面側面図の一部
【図４Ｅ】開封および再封可能な閉鎖機構の一実施形態を不正開封防止封止構成のさらなる一実施形態と共に示す袋構造の断面側面図の一部
【図４Ｆ】開封および再封可能な閉鎖機構の一実施形態を不正開封防止封止構成のなおさらなる一実施形態と共に示す袋構造の断面側面図の一部
【図５】分散可能な物質を充填中の袋構造の斜視図
【図６】分散可能な物質の充填後で直立位置に配置された袋構造の斜視図
【図７】分散可能な物質を散布するために横方向の開封および再封可能な閉鎖機構を開く工程後の本明細書に開示された袋構造の斜視図
【図８】分散可能な物質を散布するために横方向の開封および再封可能な閉鎖機構を開く工程後の本明細書に開示された別の袋構造の斜視図
【図９】本明細書に開示された袋構造の別の実施形態の斜視図
【図１０】本明細書に開示された袋構造の斜視図
【図１１Ａ】図１０の袋構造の正面側パネル部分が示されていない袋構造の正面図
【図１１Ｂ】図１１Ａに示したような袋構造の斜視図
【図１２】１つのパネル部分を分離した、本明細書に開示された袋構造の部分分解図
【図１３】図１０の概ね１３−１３線における斜視断面図
【図１４】横方向の開封および再封可能な閉鎖機構が開かれ、不正開封防止封止構成が完全な状態である、図１３に示した袋構造の斜視断面図の一部
【考案を実施するための形態】
【００１５】
一実施形態による袋構造１０を図１、図２Ａ、図２Ｂおよび図３に示す。袋構造１０は、実質的に透明な材料からなることが好ましい。図２Ａおよび図２Ｂは、内部詳細が明瞭に分かるように正面側の第１のパネル部分１２を示さないで図示されている。図３は、袋構造１０の内部詳細を示すために概ね３−３線における図１の断面図である。袋構造の作製に不透明材料を利用してもよいことは、当業者には明らかであろう。したがって、他の実施形態においては、袋構造が実質的に不透明な材料からなるものであってもよい。一般に、袋構造１０を構成するためには多くの異なる種類の材料が用いられ得る。材料のいくつかの例として、限定されるものではないが、ポリマー、布、金属、紙、複合材およびそれらの任意の組み合わせが挙げられる。その他の多くの材料も、組み合わせてかつ／または層状で利用し得ることは、当業者には明らかであろう。
【００１６】
図１を参照すると、袋構造１０の、使用前の一般的な姿が示されている。図１に示した袋構造１０は、内部詳細を見やすくするために中に物質が入っていない状態で図示されている。散布される物質の配置は、以下の説明から明らかになる。
【００１７】
さらに図１を参照すると、袋構造１０は、第２のパネル部分１４と対向する第１のパネル部分１２と、第２のサイドガセットパネル部分１８と対向する第１のサイドガセットパネル部分１６と、袋構造１０の内側に配置された内部ガセット部材２０とを含む。第１および第２のサイドガセットパネル部分は折り目２１（図２Ａおよび図２Ｂ参照）を含むことが好ましい。
【００１８】
さらに図１を参照すると、第１のパネル部分１２は、第１の端縁２２と、第２の端縁２４と、第１の側縁２６と、第２の側縁２８とを含む。第１の端縁２２は第２の端縁２４と対向する。第１の側縁２６は第２の側縁２８と対向する。
【００１９】
第２のパネル部分１４は、第１の端縁３２と、第２の端縁３４と、第１の側縁３６と、第２の側縁３８とを含む。第１の端縁３２は第２の端縁３４と対向する。第１の側縁３６は第２の側縁３８と対向する。
【００２０】
第１のサイドガセットパネル部分１６は、第１の端縁４２と、第２の端縁４４と、第１の側縁４６と、第２の側縁４８とを含む。第１の端縁４２は第２の端縁４４と対向する。第１の側縁４６は第２の側縁４８と対向する。
【００２１】
第２のサイドガセットパネル部分１８は、第１の端縁５２と、第２の端縁５４と、第１の側縁５６と、第２の側縁５８とを含む。第１の端縁５２は第２の端縁５４と対向する。第１の側縁５６は第２の側縁５８と対向する。
【００２２】
図１をさらに参照すると、第１のパネル部分の第１の側縁２６の少なくとも一部が、第１のサイドガセットパネル部分の第２の側縁４８の少なくとも一部に固定される。第１のサイドガセットパネル部分の第１の側縁４６の少なくとも一部が、第２のパネル部分の第２の側縁３８の少なくとも一部に固定される。第２のパネル部分の第１の側縁３６の少なくとも一部が、第２のサイドガセットパネル部分の第２の側縁５８の少なくとも一部に固定される。そして、第２のサイドガセットパネル部分の第１の側縁５６の少なくとも一部が、第１のパネル部分の第２の側縁２８の少なくとも一部に固定される。利用可能な固定方法のいくつかの例として、限定されるものではないが、ヒートシール、接着剤、縫製および／またはそれらの任意の組み合わせが挙げられる。米国特許第５，０５９，０３６号、第５，１４７，２７２号および第５，２５４，０７３号において例示されているもの等の、パウチ構造形成用の従来の封止が当該分野において公知である。当業者には、本発明による袋構造を形成するために前述の構成において前述のパネル部分を固定する多くの異なる方法があることが理解されよう。
【００２３】
図２Ａおよび図２Ｂにおいて、内部ガセット部材２０には孔が開けられていることが分かり、内部ガセット部材２０は少なくとも１つの散布用開口６０を有している。図２Ａおよび図２Ｂにおいては、散布用開口６０は孔として図示されているが、その他の形態および形状も利用し得る。散布用開口６０の形状、大きさおよび形態は、例えば図７に示すように、分散可能な物質６２を望ましいように通過させることを望ましいやり方で可能にするように選択されることが好ましい。望ましいやり方としては、分散可能な物質６２の流量、分散可能な物質６２の散布によって形成される表面積の大きさ、または、表面に散布されたときの分散可能な物質６２によって形成される形状が含まれる。内部ガセット部材２０は、一部分は可撓性材料からなることが好ましい。適し得る可撓性材料の例として、限定されるものではないが、積層体（laminations）、コルク押出材（cork extruded materials）、ポリマー、布地（cloth fabric）、紙、合成材料織物、天然材料織物および有機材料製シートが挙げられる。
【００２４】
図１、図２Ａ、図２Ｂ、図３、図４Ａ、図４Ｂ、図１０、図１３および図１４は、実質的に袋構造の１つの側から対向する側へと延びる開封および再封可能な閉鎖構成を示している。図示した開封および再封可能な閉鎖構成は、スライドジッパー６４のタイプの構成である。この特定の構成により、袋構造１０の第１のパネル部分１２と第２のパネル部分１４とが、スライドジッパーレール６８、６９に沿って配置された滑動可能なタブ６６の移動によって閉じられたり開かれたりする。図１には、スライドジッパー６４が閉じられた状態が示されている。図４Ａには、スライドジッパー６４が開かれた状態が示されている。同様に、図１０および図１３は、閉鎖構成が閉じられた状態を示している。図１４は、閉鎖構成が開かれた状態を示している。同様の開封および再封可能な閉鎖構成を、本明細書の全ての実施形態において用い得る。
【００２５】
このような構成は、例えば、パクティブコーポレーション（Ｐａｃｔｉｖ  Ｃｏｒｐｏｒａｔｉｏｎ）から入手可能である。スライドジッパーレール６８、６９は、種々の適切な手段、例えば、機械的手段、ヒートシール、接着材の使用、またはその他の便利なやり方により、袋構造１０、６１０に固定し得る。スライドジッパーレール６８、６９を固定するための機械的手段の例として、１つまたは複数のジッパーレール６８、６９の周りに少なくとも部分的に連結および配置されたタブが挙げられる。このようなタブは、滑動可能なタブ６６の止めにもなり得る。図７および図８にも開封および再封可能な閉鎖構成の異なる実施形態が示されている。
【００２６】
あるいは、図４Ｃ、図４Ｄ、図４Ｅおよび図４Ｆに示すように、開封および再封可能な閉鎖構成２０４を含む底ガセットパネル部分２００を、第１および第２のパネル部分１２、１４の第２の端部に封止してもよい。
【００２７】
図４Ａ、図４Ｂ、図４Ｃ、図４Ｄ、図４Ｅおよび図４Ｆには、開封および再封可能な閉鎖構成ならびに不正開封防止構成の種々の実施形態が示されている。
【００２８】
ここで、図４Ａ、図４Ｂおよび図４Ｃに注目する。図４Ａおよび図４Ｂには、不正開封防止構成７０の一例のより詳細な斜視図が示されている。図４Ｃには、不正開封防止構成７０の一例の側面断面図が示されている。図４Ａは、開かれた状態の横方向の開封および再封可能な閉鎖機構６４を示し、不正開封防止構成７０は完全な状態のままであり、袋構造１０の内部を外部から実質的に隔てられた状態に保っている。不正開封防止構成７０は、所定の引き裂き線８２を有し得る。所定の引き裂き線８２は、使用者が単に引きちぎるかまたは素早く引っ張ることにより開封し得るように容易に開封可能な封止部となり得る。図４Ｂは、引き裂かれるかまたは開封されて袋構造１０の内部へおよび内部から外部への到達を可能にしている不正開封防止構成７０を示す。不正開封防止構成７０は、分散可能な物質６２を外部環境との接触によって起こり得る劣化から保護するのに役立ち得、有利である。不正開封防止構成７０は、製品が新しくかつ／または未使用であることを消費者に保証する上でも役立ち得、有利である。
【００２９】
図４Ｃにおいて、不正開封防止構成７０は、図示するように、第１のパネル部分１２と第２のパネル部分１４との間に、第１および第２のパネル部分１２、１４の第２の端縁２４、３４に沿って配置されている。不正開封防止構成７０は、第２の端縁２４、３４と内部ガセット部材２０との間に配置され得る。図示するような不正開封防止構成７０は、少なくとも部分的に第１のパネル部分１２に取り付けられると共に、少なくとも部分的に第２のパネル部分１４に取り付けられる。
【００３０】
あるいは、以下に開示するように、不正開封防止構成を、横方向の開封および再封可能な閉鎖構成２０４も含む底ガセットパネル部分２００に一体化された部分としてもよい。
【００３１】
図４Ｄにおいて、底ガセットパネル部分２００は、不正開封防止構成２０６を含むと共に、開封および再封可能な閉鎖構成２０４も含んでいる。第１のパネル部分２１２と第２のパネル部分２１４とは、底ガセットパネル部分２００に取り付けられるかまたは封止される。
【００３２】
図４Ｅは、底ガセットパネル部分３００が、多数の折り目と、当該折り目のうちの１つにおける不正開封防止構成３０２と、開封および再封可能な閉鎖構成３０４とを含む別の実施形態を示している。第１のパネル部分３１２と第２のパネル部分３１４とは、底ガセットパネル部分３００に取り付けられるかまたは封止される。
【００３３】
図４Ｆは、底ガセットパネル部分４００が、多数の折り目と、当該折り目のうちの１つにおける不正開封防止構成４０２と、開封および再封可能な閉鎖構成４０４とを含むさらに別の実施形態を示している。第１のパネル部分４１２と第２のパネル部分４１４とは、底ガセットパネル部分４００に取り付けられるかまたは封止される。
【００３４】
図４Ｅに示すように、当該実施形態は、第１および第２のパネル部分３１２、３１４の第２の端縁３２４、３３４を越えて開封および再封可能な閉鎖構成３０４へと向かって延び得る不正開封防止構成３０２を有する。
【００３５】
図４Ｆにおいても、当該実施形態は、第１および第２のパネル部分４１２、４１４の第２の端縁４２４、４３４を越えて開封および再封可能な閉鎖構成４０４へと向かって延び得る不正開封防止構成４０２を有することが示されている。
【００３６】
不正開封防止構成を含む閉鎖構成は、例えば、パクティブコーポレーション（Ｐａｃｔｉｖｅ  Ｃｏｒｐｏｒａｔｉｏｎ）からＳｌｉｄｅ−Ｒｉｔｅ（登録商標）の商標のもとで入手可能である。
【００３７】
図１、図５〜図８および図１０に示すように、袋構造が把手用開口７２を含むことが好ましい。把手用開口７２は、分散可能な物質６２を散布するために袋構造を使用することを容易にするのに役立ち得る。把手用開口７２は、本発明による袋構造の搬送および収納を容易にするのにも役立ち得る。
【００３８】
ここで、図５〜図８に注目する。これらの図を検討すると、袋構造の充填および取扱い方法が理解されるであろう。
【００３９】
図５および図６を参照すると、袋構造１００は分散可能な物質６２が充填されている状態で示されている。分散可能な物質６２が袋構造に充填された後、横方向封止部１０１が封止されることが好ましい。
【００４０】
図６は、充填後の袋構造１００で可能な直立位置を示している。図６に示した袋構造１００から、当業者には、収納および／または販売場所での製品の配置に関してのこのような袋構造１００の利点が理解されよう。
【００４１】
図７を参照すると、分散可能な物質６２を散布するために使用中の袋構造１００が示されている。図７は、開封および再封可能な構成１０６が開かれた状態で示された一実施形態を示している。この開かれた状態にあるとき、第１のエンドタブ１０２および第２のエンドタブ１０３の両方が、開封および再封可能な構成１０６の第１のレール１０４と第２のレール１０５とに跨っている。したがって、第１のパネル部分１１２と第２のパネル部分１１４とは、極めて近接して保持されている。使用者は、分散可能な物質６２が袋構造１００の内室から流出および落下しているとき、袋構造１００の把手用開口７２を持ち続け得る。使用後は、開封および再封可能な構成１０６を閉鎖し得、袋構造１００を将来さらに使用するために収納し得る。この点に関して、図６は、このような袋構造１００を将来使用するために収納した時の状態を示している。あるいは、横置きかまたは使用者が所望するその他の任意の位置で袋構造１００を収納してもよい。
【００４２】
図８を参照すると、分散可能な物質６２を散布するために使用中の袋構造１２０が示されている。開封および再封可能な閉鎖構成１２２が開かれた状態で示されている。図８は、第１のエンドタブ１２４が第１のレール１２６と第２のレール１２８とに跨り、それにより第１のパネル部分１３０と第２のパネル部分１３２とを第１のエンドタブ１２４がある位置において極めて近接させて配置している実施形態を示している。第２のエンドタブ１３４は、第１のレール１２６に跨り、第１のパネル部分１３０に取り付けられるかまたは封止される。第３のタブ１３６は、第２のレール１２８に跨り、第２のパネル部分１３２に取り付けられるかまたは封止される。したがって、開かれた状態にあるとき、開封および再封可能な閉鎖構成１２２の本実施形態は、図７に示した実施形態よりも大きく開くことを可能にする。閉じられた状態にあるときは、本実施形態は、図６に示したように閉じられた状態にあるものとして図示された実施形態と類似し得る。
【００４３】
図９を参照すると、別の実施形態である袋構造５００の使用前の一般的な姿が、内部詳細を見やすくするために中に物質が入っていない状態で示されている。袋構造５００は、第２のパネル部分５０４と対向する第１のパネル部分５０２と、サイドガセットパネル部分５０６と、袋構造５００の内側に配置された内部ガセット部材５０８とを含む。
【００４４】
さらに図９を参照すると、第１のパネル部分５０２は、第１の端縁５１０と、第２の端縁５１２と、第１の側縁５２０と、第２の側縁５２２とを含む。第１の端縁５１０は第２の端縁５１２と対向する。第１の側縁５２０は第２の側縁５２２と対向する。
【００４５】
第２のパネル部分５０４は、第１の端縁５２６と、第２の端縁５２８と、第１の側縁５３０と、第２の側縁５３２とを含む。第１の端縁５２６は第２の端縁５２８と対向する。第１の側縁５３０は第２の側縁５３２と対向する。
【００４６】
サイドガセットパネル部分５０６は、第１の端縁５３４と、第２の端縁５３６と、第１の側縁５３８と、第２の側縁５４０とを含む。第１の端縁５３４は第２の端縁５３６と対向する。第１の側縁５３８は第２の側縁５４０と対向する。
【００４７】
図９をさらに参照すると、第１のパネル部分の第１の側縁５２０の少なくとも一部が、第２のパネル部分５０４の第２の側縁５３２の少なくとも一部に固定される。第１のパネル部分５０２の第２の側縁５２２の少なくとも一部が、サイドガセットパネル部分５０６の第１の側縁５３８の少なくとも一部に固定される。第２のパネル部分５０４の第１の側縁５３０の少なくとも一部が、サイドガセットパネル部分５０６の第２の側縁５４０の少なくとも一部に固定される。
【００４８】
図９は、第１のパネル部分５０２および第２のパネル部分５０４の第２の端縁５１２、５２８を、少なくとも部分的に封止されたものとして示している。したがって、使用前に、袋構造５００の第２の端縁５１２、５２８は、袋構造５００を横方向に横断して切り取られるかまたは引き裂かれ得る。第２の端縁５１２、５２８の引き裂きまたは切り取りに役立つように、引き裂き処理を開始し易くするために切欠き部を有するかまたは有しない引き裂き線を設けてもよい。あるいは、限定されるものではないが本明細書に開示する開封および再封可能な閉鎖構成を含む他の固定手段を、袋構造の第２の端縁において利用してもよい。さらに、図４Ｃ、図４Ｄ、図４Ｅおよび図４Ｆに示した底パネルガセットパネル部分の例を、袋構造の第２の端縁５１２、５２８において含んでいてもよい。
【００４９】
図９に示すように、内部ガセット部材５０８には孔が開けられていることが分かり、内部ガセット部材５０８は少なくとも１つの散布用開口５４２を有している。縁を固定するために利用可能な固定方法として、限定されるものではないが、ヒートシール、接着剤、縫製および／またはそれらの任意の組み合わせと共に、袋構造の形成に用いられるその他の任意の従来の封止が挙げられる。
【００５０】
図１０を参照すると、袋構造６１０が、内部詳細を見やすくするために中に物質が入っていない状態で示されている。さらに、図１３は、図１０の概ね１３−１３線における斜視断面図を示す。したがって、図１３により、内部詳細がさらに見やすくなり得る。袋構造６１０は、第２のパネル部分６１４と対向する第１のパネル部分６１２と、第２のサイドガセットパネル部分６１８と対向する第１のサイドガセットパネル部分６１６と、袋構造６１０の内側に配置された内部ガセット部材６２０とを含む。
【００５１】
さらに図１０を参照すると、第１のパネル部分６１２は、第１の端縁６２２と、第２の端縁６２４と、第１の側縁６２６と、第２の側縁６２８とを含む。第１の端縁６２２は第２の端縁６２４と対向する。第１の側縁６２６は第２の側縁６２８と対向する。
【００５２】
第２のパネル部分６１４は、第１の端縁６３２と、第２の端縁６３４と、第１の側縁６３６と、第２の側縁６３８とを含む。第１の端縁６３２は第２の端縁６３４と対向する。第１の側縁６３６は第２の側縁６３８と対向する。
【００５３】
第１のサイドガセットパネル部分６１６は、第１の端縁６４２と、第２の端縁６４４と、第１の側縁６４６と、第２の側縁６４８とを含む。第１の端縁６４２は第２の端縁６４４と対向する。第１の側縁６４６は第２の側縁６４８と対向する。
【００５４】
第２のサイドガセットパネル部分６１８は、第１の端縁６５２と、第２の端縁６５４と、第１の側縁６５６と、第２の側縁６５８をと含む。第１の端縁６５２は第２の端縁６５４と対向する。第１の側縁６５６は第２の側縁６５８と対向する。
【００５５】
図１０をさらに参照すると、第１のサイドガセットパネル部分６１６は、第１の端縁６４２から第２の端縁６４４まで及ぶ長さを有し、その長さは第１のパネル部分６１２のパネル部分第１の端縁６２２から第２の端縁６２４までの長さよりも短い。同様に、第２のサイドガセットパネル部分６１８は、第１のパネル部分６１２のパネル部分第１の端縁６２２から第２の端縁６２４までの長さよりも短い、第１の端縁６５２から第２の端縁６５４まで及ぶ長さを有する。
【００５６】
第２のパネル部分６１４の内面に、第１の側縁６３６から第２の側縁６３８まで横方向に延ばされてテープ６６０が配される。したがって、テープ６６０は、袋構造６１０の内部空間にある。図１０に示すように、テープ６６０は、第１および第２のサイドガセットパネル部分６１６、６１８の第２の端縁６４４、６５４付近に配される。テープ６６０は、第１および第２のサイドガセットパネル部分６１６、６１８の第２の端縁６４４、６５４の少なくとも一部を、第２のパネル部分６１４の内面に固定する。あるいは、またはさらに、テープ６６０が第１および第２のサイドガセットパネル部分６１６、６１８の第２の端縁６４４、６５４の少なくとも一部を第２のパネル部分６１４の内面の少なくとも一部に固定してもよい。テープ６６０は、ポリマー製のものであり得る。テープ６６０を袋構造６１０のその他の部分に固定するために、接着材を用い得る。ヒートシール法を用いてテープ６６０を袋構造６１０に固定してもよい。
【００５７】
第１のパネル部分の第１の側縁６２６の少なくとも一部が、第１のサイドガセットパネル部分の第２の側縁６４８の少なくとも一部に固定される。第１のサイドガセットパネル部分の第１の側縁６４６の少なくとも一部が、第２のパネル部分の第２の側縁６３８の少なくとも一部に固定される。第２のパネル部分の第１の側縁６３６の少なくとも一部が、第２のサイドガセットパネル部分の第２の側縁６５８の少なくとも一部に固定される。そして、第２のサイドガセットパネル部分の第１の側縁６５６の少なくとも一部が、第１のパネル部分の第２の側縁６２８の少なくとも一部に固定される。利用可能な固定方法のいくつかの例として、限定されるものではないが、超音波溶接、ヒートシール、接着剤、縫製および／またはそれらの任意の組み合わせが挙げられる。当業者には、本発明による袋構造を形成するために前述の構成において前述のパネル部分を固定する多くの異なる方法があることが理解されよう。
【００５８】
図１１Ａおよび図１１Ｂにおいて、内部ガセット部材６２０には孔が開けられていることが分かり、内部ガセット部材６２０は少なくとも１つの散布用開口６６２を有している。図１１Ａおよび図１１Ｂにおいては、散布用開口６６２は孔として示されているが、その他の形態および形状も利用し得る。散布用開口６２０の形状、大きさおよび形態は、分散可能な物質６２を望ましいように通過させることを望ましいやり方で可能にするように選択されることが好ましい。内部ガセット部材６２０は、一部分は可撓性材料からなることが好ましい。適し得る可撓性材料の例として、限定されるものではないが、ポリマー、布地、紙、合成材料織物、天然材料織物および有機材料製シートが挙げられる。図１１Ａ、図１１Ｂには、また、図１２にも、内部ガセット部材６２０を第１のパネル部分６１２に固定し得ることも示されている。図１２に示すように、内部ガセット部材６２０を、サイドガセットパネル部分６１６、６１８と第１のパネル部分６１２との間に配置し得る。したがって、内部ガセット部材６２０をサイドガセットパネル部分６１６、６１８のいずれか一方かまたは両方に固定し得る。さらに、内部ガセット部材６２０を第２のパネル部分６１４に固定し得る。内部ガセット部材６２０を、第１および第２のパネル部分６１２、６１４と、サイドガセットパネル部分６１６、６１８の両方とに固定することが好ましい。
【００５９】
図１４は、図１０および図１３に示す袋構造の斜視断面図の一部を示す。横方向の開封および再封可能な閉鎖機構６６４は、図１４において、不正開封防止封止構成６６６が完全なまま開かれた状態で図示されている。上記ならびに図４Ａ、図４Ｂ、図４Ｃ、図４Ｄ、図４Ｅおよび図４Ｆにおいて既に開示した種々の異なるタイプの開封および再封可能な閉鎖機構と不正開封防止封止構成とを袋構造６１０にも用い得る。
【００６０】
袋構造は種々の材料で製造し得る。しかしながら、少なくとも部分的に、ポリエステル・二軸延伸ナイロン・直鎖状低密度ポリエチレン（ＰＥＴ／ＢＯＮ／ＬＬＤＰＥ）フィルム等の比較的薄く強度が高い材料で構成することが特に有利である。
【００６１】
サイドガセットパネル部分は少なくとも２つの異なる材料の層からなることが好ましい。材料は、限定されるものではないが、以下から選択され得る。すなわち、ポリエステル、ナイロン、直鎖状低密度ポリエチレン（ＬＬＤＰＥ）、アルミニウムおよび金属化ポリエステルである。さらに、上記材料間に接着材料層を含み得る。したがって、多層を構成する材料の組み合わせが多数考えられ得る。例えば、以下の組み合わせ（同一材料からなる多数の層つまりプライを有するものもある）を袋構造の任意の部分に用い得る。
１．ポリエステル／接着材／直鎖状低密度ポリエチレンフィルム（２プライ）
２．ポリエステル／接着材／アルミニウム箔／接着材／ＬＬＤＰＥ（３プライ）
３．ポリエステル／接着材／金属化ポリエステル／／接着材／ＬＬＤＰＥ（３プライ）
４．ポリエステル／接着材／ナイロン／接着材／ＬＬＤＰＥ（３プライ）
５．ポリエステル／接着材／ナイロン／接着材／アルミニウム箔／接着材／ＬＬＤＰＥ
６．ナイロン／接着材／ＬＬＤＰＥ（２プライ）
７．ナイロン／接着材／金属化ポリエステル／接着材／ＬＬＤＰＥ（３プライ）
８．ナイロン／接着材／アルミニウム箔／接着材／ＬＬＤＰＥ（３プライ）
９．ナイロン／接着材／ナイロン／接着材／ＬＬＤＰＥ（３プライ）
１０．ナイロン／接着材／ナイロン／接着材／アルミニウム箔／ＬＬＤＰＥ（３プライ）
ポリプロピレン等のその他の材料を上記の代わりかまたは他の材料と組み合わせて用いてもよい。材料の厚さも様々であり得る。
【００６２】
特に有用でありかつ本発明による利点を含む好適な実施形態は、第１および第２のパネル部分がＰＥＴ／ＢＯＮ／ＬＬＤＰＥの３プライからなる第１および第２のシートを含む構成であり得る。あるいは、ＰＥＴ／ＢＯＮ／ＬＬＤＰＥ層と、異なる融解温度の１つまたは複数の層との組み合わせを用いてもよい。同様の材料を内部ガセット部材（適切な開口またはスリットが設けられた）に利用し得る。各パネル部分を別のパネル部分に固定し、閉鎖手段と各パネル部分とを固定し、かつ内部ガセット部材を所定の位置に固定するための手段が、さらなる接着材を必要とすることなくヒートシールによって実現されるように、ヒートシール可能な材料を利用することが好ましい。
【００６３】
フィルム材料は３つの基材の形態で入手可能であり、従来の接着積層方法で貼り合わせ得る。ポリエステル基材に接着材を施し、ナイロン基材を施す。ポリエステル基材とナイロン基材とを貼り合わせる。この結果得られた層を直鎖状低密度ポリエチレン基材で被覆し、その後貼り合わせる。
【００６４】
好適な実施形態について例示を目的として説明した。当業者には、均等物の全範囲を含む、請求および開示された本発明の範囲から逸脱することなく、種々の修正、追加および置換が可能であることが理解されよう。
【図１】
0003160466.tif 000003
【図２Ａ】
0003160466.tif 000004
【図２Ｂ】
0003160466.tif 000005
【図３】
0003160466.tif 000006
【図４Ａ】
0003160466.tif 000007
【図４Ｂ】
0003160466.tif 000008
【図４Ｃ】
0003160466.tif 000009
【図４Ｄ】
0003160466.tif 000010
【図４Ｅ】
0003160466.tif 000011
【図４Ｆ】
0003160466.tif 000012
【図５】
0003160466.tif 000013
【図６】
0003160466.tif 000014
【図７】
0003160466.tif 000015
【図８】
0003160466.tif 000016
【図９】
0003160466.tif 000017
【図１０】
0003160466.tif 000018
【図１１Ａ】
0003160466.tif 000019
【図１１Ｂ】
0003160466.tif 000020
【図１２】
0003160466.tif 000021
【図１３】
0003160466.tif 000022
【図１４】
0003160466.tif 000023
【手続補正書】
【提出日】平成21年12月22日(2009.12.22)
【手続補正１】
【補正対象書類名】実用新案登録請求の範囲
【補正対象項目名】全文
【補正方法】変更
【補正の内容】
【実用新案登録請求の範囲】
【請求項１】
袋構造であって、
（ａ）第１および第２のパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分と、
（ｂ）第１のサイドガセットパネル部分であって、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１のサイドガセットパネル部分とを含み、
（ｃ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定されるようにして、固定されて袋構造内部を規定し、
（ｄ）内部ガセット部材であって、
（ｉ）前記袋構造内部の内側に配置され、
（ｉｉ）少なくとも１つの散布用開口を有する、内部ガセット部材と、
（ｅ）前記第１および第２のパネル部分の第２の端縁において前記第１および第２のパネル部分間に延びた横方向の開封および再封可能な閉鎖構成とを含む袋構造。
【請求項２】
袋構造であって、
（ａ）第１および第２のパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分と、
（ｂ）第１のサイドガセットパネル部分であって、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１のサイドガセットパネル部分とを含み、
（ｃ）前記第１および第２のパネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定されるようにして、固定されて袋構造内部を規定し、
（ｄ）内部ガセット部材であって
（ｉ）前記袋構造内部の内側に配置され、
（ｉｉ）少なくとも１つの散布用開口を有する、内部ガセット部材と、
（ｅ）底ガセットパネル部分であって、
（ｉ）折り目と、
（ｉｉ）少なくとも部分的に前記折り目に沿って位置している引き裂き可能な部分を含む不正開封防止構成と、
（ｉｉｉ）横方向の開封および再封可能な閉鎖構成とを含む、底ガセットパネル部分とを含み、
前記底ガセットパネル部分が少なくとも部分的に前記第１および第２のパネル部分に封止された袋構造。
【請求項３】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定され、
（ｉｉｉ）前記第２のパネル部分の第１の側縁の少なくとも一部が、前記第２のサイドガセットパネル部分の第２の側縁の少なくとも一部に固定され、
（ｉｖ）前記第２のサイドガセットパネル部分の第１の側縁の少なくとも一部が、前記第１のパネル部分の第２の側縁の少なくとも一部に固定されるようにして、固定されて袋構造内部を規定し、
（ｃ）前記第１および第２のサイドガセットパネル部分は、少なくとも部分的に前記第１および第２のパネル部分の第１および第２の側縁間に延びる折り目を有し、
（ｄ）内部ガセット部材であって、
（ｉ）少なくとも部分的に前記袋構造内部の内側に配置され、
（ｉｉ）少なくとも１つの散布用開口を有し、
（ｉｉｉ）可撓性材料で構成された、内部ガセット部材と、
（ｅ）前記第１および第２のパネル部分の第２の端縁と前記内部ガセット部材との間の位置において前記袋構造を横方向に横断して封止するための手段とを含む袋構造。
【請求項４】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定され、
（ｉｉｉ）前記第２のパネル部分の第１の側縁の少なくとも一部が、前記第２のサイドガセットパネル部分の第２の側縁の少なくとも一部に固定され、
（ｉｖ）前記第２のサイドガセットパネル部分の第１の側縁の少なくとも一部が、前記第１のパネル部分の第２の側縁の少なくとも一部に固定されるようにして、固定されて袋構造内部を規定し、
（ｃ）前記第１および第２のサイドガセットパネル部分は、少なくとも部分的に前記第１および第２のパネル部分の第１および第２の側縁間に延びる折り目を有し、
（ｄ）内部ガセット部材であって、
（ｉ）前記袋構造内部の内側で前記第１および第２のパネル部分間に配置され、
（ｉｉ）少なくとも１つの散布用開口を有し、
（ｉｉｉ）少なくとも一部分は可撓性材料で構成された、内部ガセット部材と、
（ｅ）前記第１および第２のパネル部分の少なくとも一部を相互に封止する向きにされた横方向封止部であって、
（ｉ）前記第１および第２のパネル部分の第１の端縁と前記内部ガセット部材との間の位置において前記袋構造を横方向に横断して延びるように配置された、横方向封止部と、
（ｆ）前記第１および第２のパネル部分の第２の端縁において前記第１および第２のパネル部分間に延びる横方向の開封および再封可能な閉鎖構成と、
（ｇ）不正開封防止構成であって、
（ｉ）少なくとも部分的に前記袋構造内部の内側に配置され、
（ｉｉ）前記第１および第２のパネル部分の各々に封止された引き裂き部材を含み、
（ｉｉｉ）前記横方向の開封および再封可能な閉鎖構成と前記内部ガセット部材との間に配置された、不正開封防止構成とを含む袋構造。
【請求項５】
袋構造であって、
（ａ）第１および第２のパネル部分ならびに第１および第２のサイドガセットパネル部分であって、各々において、
（ｉ）第１の端縁と、第２の端縁と、第１の側縁と、第２の側縁とを含み、
（ｉｉ）前記第１の端縁は、前記第２の端縁と対向し、
（ｉｉｉ）前記第１の側縁は、前記第２の側縁と対向し、
（ｉｖ）前記第１の側縁は、前記第１の端縁から前記第２の端縁まで延び、
（ｖ）前記第２の側縁は、前記第１の端縁から前記第２の端縁まで延びる、第１および第２のパネル部分ならびに第１および第２のサイドガセットパネル部分を含み、
（ｂ）前記パネル部分と前記サイドガセットパネル部分とは、
（ｉ）前記第１のパネル部分の第１の側縁の少なくとも一部が、前記第１のサイドガセットパネル部分の第２の側縁の少なくとも一部に固定され、
（ｉｉ）前記第１のサイドガセットパネル部分の第１の側縁の少なくとも一部が、前記第２のパネル部分の第２の側縁の少なくとも一部に固定され、
（ｉｉｉ）前記第２のパネル部分の第１の側縁の少なくとも一部が、前記第２のサイドガセットパネル部分の第２の側縁の少なくとも一部に固定され、
（ｉｖ）前記第２のサイドガセットパネル部分の第１の側縁の少なくとも一部が、前記第１のパネル部分の第２の側縁の少なくとも一部に固定されるようにして、固定されて袋構造内部を規定し、
（ｃ）前記第１のパネル部分の内面に横方向に配され、前記第１のサイドガセットパネル部分の第２の端縁の少なくとも一部と前記第２のサイドガセットパネル部分の第２の端縁の少なくとも一部とを前記第２のパネル部分の内面の少なくとも一部に固定するテープと、
（ｄ）前記第１および第２のパネル部分の第２の端縁において前記第１および第２のパネル部分間に延びる横方向の開封および再封可能な閉鎖構成とを含む袋構造。
【手続補正２】
【補正対象書類名】明細書
【補正対象項目名】００２６
【補正方法】変更
【補正の内容】
【００２６】
あるいは、図４Ｃ、図４Ｄ、図４Ｅおよび図４Ｆに示すように、開封および再封可能な閉鎖構成２０４を含む底ガセットパネル部分２００を、第１および第２のパネル部分２１２、２１４の第２の端部に封止してもよい。
【手続補正３】
【補正対象書類名】明細書
【補正対象項目名】００４８
【補正方法】変更
【補正の内容】
【００４８】
図９は、第１のパネル部分５０２および第２のパネル部分５０４の第２の端縁５１２、５２８を、少なくとも部分的に封止されたものとして示している。したがって、使用前に、袋構造５００の第２の端縁５１２、５２８は、袋構造５００を横方向に横断して切り取られるかまたは引き裂かれ得る。第２の端縁５１２、５２８の引き裂きまたは切り取りに役立つように、引き裂き処理を開始し易くするために切欠き部を有するかまたは有しない引き裂き線を設けてもよい。あるいは、限定されるものではないが本明細書に開示する開封および再封可能な閉鎖構成を含む他の固定手段を、袋構造の第２の端縁において利用してもよい。さらに、図４Ｃ、図４Ｄ、図４Ｅおよび図４Ｆに示した底ガセットパネル部分の例を、袋構造の第２の端縁５１２、５２８において含んでいてもよい。
【手続補正４】
【補正対象書類名】明細書
【補正対象項目名】００５８
【補正方法】変更
【補正の内容】
【００５８】
図１１Ａおよび図１１Ｂにおいて、内部ガセット部材６２０には孔が開けられていることが分かり、内部ガセット部材６２０は少なくとも１つの散布用開口６６２を有している。図１１Ａおよび図１１Ｂにおいては、散布用開口６６２は孔として示されているが、その他の形態および形状も利用し得る。散布用開口６６２の形状、大きさおよび形態は、分散可能な物質６２を望ましいように通過させることを望ましいやり方で可能にするように選択されることが好ましい。内部ガセット部材６２０は、一部分は可撓性材料からなることが好ましい。適し得る可撓性材料の例として、限定されるものではないが、ポリマー、布地、紙、合成材料織物、天然材料織物および有機材料製シートが挙げられる。図１１Ａ、図１１Ｂには、また、図１２にも、内部ガセット部材６２０を第１のパネル部分６１２に固定し得ることも示されている。図１２に示すように、内部ガセット部材６２０を、サイドガセットパネル部分６１６、６１８と第１のパネル部分６１２との間に配置し得る。したがって、内部ガセット部材６２０をサイドガセットパネル部分６１６、６１８のいずれか一方かまたは両方に固定し得る。さらに、内部ガセット部材６２０を第２のパネル部分６１４に固定し得る。内部ガセット部材６２０を、第１および第２のパネル部分６１２、６１４と、サイドガセットパネル部分６１６、６１８の両方とに固定することが好ましい。